(57)【要約】【課題】この発明は、複数種類の受信仕様毎にそれぞれ個別にＥＤＩＤデータを格納する必要がなく、製造作業や出荷作業等を容易化し得るようにした電子機器及びその制御方法を提供することを目的としている。【解決手段】複数種類の受信仕様を示すデータをメモリ部４０に格納しておき、機器の受信仕様が設定されたとき、その設定された受信仕様を示すデータをメモリ部４０から取り出してメモリ３４ａに記憶させ、外部からの受信仕様を示すデータの取得要求に応じて、メモリ３４ａに記憶されたデータを出力する。【選択図】      図３
2006179973.tif 000002
【特許請求の範囲】
【請求項１】
外部からの取得要求に応じて自己の受信仕様を示すデータを出力する電子機器であって、
映像または音声を含む信号が入力される入力手段と、
前記入力手段に入力された信号から映像または音声に対応した信号を生成する処理手段と、
前記処理手段に対して用意された複数種類の受信仕様を示すデータを格納する格納手段と、
前記処理手段に対する受信仕様を設定させる設定手段と、
前記設定手段で設定された受信仕様を示すデータを前記格納手段から取り出して記憶する記憶手段と、
外部からの受信仕様を示すデータの取得要求に応じて、前記記憶手段に記憶されたデータを出力する出力手段とを具備することを特徴とする電子機器。
【請求項２】
前記入力手段には、ＨＤＭＩ規格に準拠した形態で信号が入力されることを特徴とする請求項１記載の電子機器。
【請求項３】
前記受信仕様を示すデータは、ＥＤＩＤデータであることを特徴とする請求項２記載の電子機器。
【請求項４】
前記設定手段は、複数の仕向け先に対応した受信仕様を選択的に設定させることを特徴とする請求項１記載の電子機器。
【請求項５】
前記設定手段は、ディスプレイに設定メニューを表示させて受信仕様の設定を行なわせることを特徴とする請求項１記載の電子機器。
【請求項６】
外部からの取得要求に応じて自己の受信仕様を示すデータを出力する電子機器の制御方法であって、
入力された信号から映像または音声に対応した信号を生成する処理手段に対して用意された複数種類の受信仕様を示すデータを格納手段に格納する第１の工程と、
前記処理手段に対する受信仕様を設定させる第２の工程と、
前記第２の工程で設定された受信仕様を示すデータを前記格納手段から取り出して記憶手段に記憶する第３の工程と、
外部からの受信仕様を示すデータの取得要求に応じて、前記記憶手段に記憶されたデータを出力する第４の工程とを具備することを特徴とする電子機器の制御方法。
【発明の詳細な説明】
【技術分野】
【０００１】
この発明は、例えば映像や音声等の信号を外部接続された他の機器から受信して処理を施す電子機器及びその制御方法に関する。
【背景技術】
【０００２】
周知のように、デジタル映像信号を伝送するための規格として、ＤＶＩ（digital visual interface）規格が普及している。そして、近年では、このＤＶＩ規格をさらに改良したデジタル信号伝送規格として、ＨＤＭＩ（high definition multimedia interface）規格が採用されるようになってきている。
【０００３】
このＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【０００４】
また、ＨＤＭＩ規格では、一方の電子機器から他方の電子機器に映像や音声等の信号を伝送する場合、送信側となる電子機器が受信側となる電子機器からＥＤＩＤ（extended display identification）データを取得することにより、受信側の電子機器が有するディスプレイの受信仕様に合わせた形態で信号を出力することができるようになっている。
【０００５】
ところで、ＥＤＩＤデータの伝送量は、規格によりページ単位で２５６バイトと定められている。このため、現状では、電子機器内に自機器のディスプレイ仕様に対応する２５６バイト分のＥＤＩＤデータを格納しておき、外部の電子機器からの取得要求に応じて、そのＥＤＩＤデータを要求先の電子機器に出力するようにしている。
【０００６】
しかしながら、電子機器は、例えば、その仕向け地等に応じて受信仕様が異なることが多々ある。これに対し、２５６バイトのデータ量では、１つの仕向け先に対応する受信仕様を示す分だけのＥＤＩＤデータしか確保することができないものである。このため、電子機器毎に、その仕向け先に対応させてそれぞれ異なるＥＤＩＤデータを個別に格納させる必要があり、製造作業や出荷作業が煩雑になるという問題が生じている。
【０００７】
特許文献１には、ディスプレイ装置からシステム装置にデータを送出するＤＤＣ（display data channel）制御信号を用い、ＥＤＩＤデータの読み出し、書き換え制御を行なうことで、システム装置の表示モードを制御する構成が開示されている。
【特許文献１】特開平１１−１５４２５号公報
【発明の開示】
【発明が解決しようとする課題】
【０００８】
そこで、この発明は上記事情を考慮してなされたもので、複数種類の受信仕様毎にそれぞれ個別にＥＤＩＤデータを格納する必要がなく、製造作業や出荷作業等を容易化し得るようにした電子機器及びその制御方法を提供することを目的とする。
【課題を解決するための手段】
【０００９】
この発明に係る電子機器は、外部からの取得要求に応じて自己の受信仕様を示すデータを出力するものを対象としている。そして、映像または音声を含む信号が入力される入力手段と、入力手段に入力された信号から映像または音声に対応した信号を生成する処理手段と、処理手段に対して用意された複数種類の受信仕様を示すデータを格納する格納手段と、処理手段に対する受信仕様を設定させる設定手段と、設定手段で設定された受信仕様を示すデータを格納手段から取り出して記憶する記憶手段と、外部からの受信仕様を示すデータの取得要求に応じて、記憶手段に記憶されたデータを出力する出力手段とを備えるようにしたものである。
【００１０】
また、この発明に係る電子機器の制御方法は、外部からの取得要求に応じて自己の受信仕様を示すデータを出力する方法を対象としている。そして、入力された信号から映像または音声に対応した信号を生成する処理手段に対して用意された複数種類の受信仕様を示すデータを格納手段に格納する第１の工程と、処理手段に対する受信仕様を設定させる第２の工程と、第２の工程で設定された受信仕様を示すデータを格納手段から取り出して記憶手段に記憶する第３の工程と、外部からの受信仕様を示すデータの取得要求に応じて、記憶手段に記憶されたデータを出力する第４の工程とを備えるようにしたものである。
【発明の効果】
【００１１】
上記のような構成及び方法によれば、予め複数種類の受信仕様を示すデータを格納しておき、機器の受信仕様が設定されたとき、その設定された受信仕様を示すデータを取り出して記憶させ、外部からの受信仕様取得要求に応じて記憶されたデータを出力するようにしたので、複数種類の受信仕様毎にそれぞれ個別にＥＤＩＤデータを格納する必要がなくなり、製造作業や出荷作業等を容易化することが可能となる。
【発明を実施するための最良の形態】
【００１２】
以下、この発明の実施の形態について図面を参照して詳細に説明する。図１は、この実施の形態で説明するデジタル信号伝送システムを示している。図１において、符号１１は送信側の電子機器となる光ディスク再生装置である。
【００１３】
この光ディスク再生装置１１は、光ディスクを再生して得られた映像や音声等の信号をＨＤＭＩ規格に準拠した形態に変換し、伝送路１２を介して、受信側の電子機器となるテレビジョン受信装置１３に送信している。
【００１４】
このテレビジョン受信装置１３は、テレビジョン放送信号を受信して映像表示や音声再生を行なう機能を有するとともに、伝送路１２を介して供給されるＨＤＭＩ規格に準拠した形態の映像や音声の信号に対して、映像表示や音声再生を行なう機能を有する。
【００１５】
ここで、光ディスク再生装置１１は、テレビジョン受信装置１３に映像や音声等の信号を出力するに先立ち、伝送路１４を介して、テレビジョン受信装置１３に対してＥＤＩＤ データを要求する。
【００１６】
テレビジョン受信装置１３には、予め自己のディスプレイ仕様（解像度等）を示すＥＤＩＤデータが格納されており、光ディスク再生装置１１からの要求に応じて、そのＥＤＩＤデータを伝送路１４を介して光ディスク再生装置１１に送信する。
【００１７】
これにより、光ディスク再生装置１１では、取得したＥＤＩＤデータに基づいてテレビジョン受信装置１３のディスプレイ仕様を認識し、その仕様に合わせた形態の映像や音声等の信号を、伝送路１２を介してテレビジョン受信装置１３に出力することができる。
【００１８】
ここで、上記テレビジョン受信装置１３には、その製造時に、複数の仕向け先または受信動作等に対応して用意された、複数種類のディスプレイ仕様を示すＥＤＩＤデータが、予めメモリ等に格納されている。
【００１９】
そして、テレビジョン受信装置１３は、特定の場所に設置されたとき、各種のＥＤＩＤデータの中から、その設置場所に応じたディスプレイ仕様を示すＥＤＩＤデータが選択されて出力されるように構成されている。
【００２０】
これにより、テレビジョン受信装置１３としては、仕様の異なる複数の仕向け先や受信動作別に、それぞれ対応するＥＤＩＤデータを格納する必要がなくなり、製造作業や出荷作業等を容易化することが可能となる。
【００２１】
図２は、上記光ディスク再生装置１１の信号処理系を示している。この光ディスク再生装置１１は、例えばＤＶＤ（digital versatile disk）等の光ディスク１５がディスクドライブ部１６に装着され、再生が要求されることにより、その記録データを読み取る。
【００２２】
そして、このディスクドライブ部１６で読み取られたデータは、デコーダ部１７及び信号処理部１８に供給されることにより、デジタル化処理、エラー訂正処理及び復号化処理等が順次施されて、デジタルの映像信号及び音声信号に復元される。
【００２３】
この復元されたデジタルの映像信号及び音声信号は、ＨＤＭＩ送受信部１９に供給されてＨＤＭＩ規格に準拠した形態に変換され、出力端子２０を介して、伝送路１２に接続された受信側となる電子機器（この場合、テレビジョン受信装置１３）に導出される。
【００２４】
また、このＨＤＭＩ送受信部１９は、入出力端子２１を介して、伝送路１４に接続された受信側となる電子機器（この場合、テレビジョン受信装置１３）に対してＥＤＩＤデータの要求を行なうことができる。
【００２５】
さらに、このＨＤＭＩ送受信部１９は、入出力端子２１を介して、伝送路１４に接続された受信側となる電子機器（この場合、テレビジョン受信装置１３）から出力されたＥＤＩＤデータを取得することができる。
【００２６】
ここで、光ディスク再生装置１１は、上記した再生動作を含むその全ての動作を制御部２２により統括的に制御されている。この制御部２２は、ＣＰＵ（Central Processing Unit）等を内蔵しており、リモートコントローラ等の操作部２３から送出された操作情報を受信し、その操作内容が反映されるように各部をそれぞれ制御している。
【００２７】
この場合、制御部２２は、メモリ部２４を利用している。このメモリ部２４は、主として、ＣＰＵが実行する制御プログラムを格納したＲＯＭ（Read Only Memory）と、該ＣＰＵに作業エリアを提供するＲＡＭ（Random Access Memory）と、各種の設定情報及び制御情報等が格納される不揮発性メモリとを有している。
【００２８】
そして、この制御部２２は、ＨＤＭＩ送受信部１９で取得したＥＤＩＤデータに基づいて、受信側となる電子機器（この場合、テレビジョン受信装置１３）のディスプレイ仕様を認識し、信号処理部１８に対して、その仕様に合わせた形態の映像や音声等の信号を生成するように制御している。
【００２９】
図３は、上記テレビジョン受信装置１３の信号処理系を示している。すなわち、アンテナ２５で受信したテレビジョン放送信号は、入力端子２６を介してチューナ部２７に供給される。このチューナ部２７は、入力されたテレビジョン放送信号から所望の放送チャンネルの信号を選局して出力している。
【００３０】
このチューナ部２７から出力されたテレビジョン放送信号は、復調部２８及び信号処理部２９によりそれぞれ所定の復調処理及び信号処理が施されて元のテレビジョン信号に復元される。
【００３１】
そして、この信号処理部２９から出力されたテレビジョン信号は、混合部３０により、ＯＳＤ（on screen display）信号生成部３１から出力されるＯＳＤ信号と混合されて、セレクタ３２の一方の入力端子に供給される。
【００３２】
一方、上記伝送路１２を介して供給される映像や音声等の信号は、入力端子３３を介してＨＤＭＩ送受信部３４に供給される。このＨＤＭＩ送受信部３４は、入力された信号に対して、光ディスク再生装置１１のＨＤＭＩ送受信部１６による変換前の信号に戻す処理を施し、信号処理部３５を介して上記セレクタ３２の他方の入力端子に供給している。
【００３３】
このセレクタ３２は、混合部３０から供給される信号と、信号処理部３５から供給される信号とを、選択的にディスプレイ３６に導いて映像表示に供させている。なお、音声成分は、図示しないスピーカ等により音声再生に供されている。
【００３４】
また、上記伝送路１４を介して供給されるＥＤＩＤデータの取得要求は、入力端子３７を介して上記ＨＤＭＩ送受信部３４に供給される。このＨＤＭＩ送受信部３４は、入力された要求に基づいて、内蔵メモリ３４ａに格納された自己のディスプレイ仕様を示すＥＤＩＤデータを伝送路１４に送出して、光ディスク再生装置１１に取得させる。
【００３５】
ここで、このテレビジョン受信装置１３は、上記した一連の動作を含むその全ての動作を制御部３８によって統括的に制御されている。この制御部３８は、ＣＰＵ等を内蔵しており、リモートコントローラ等を含む操作部３９からの操作情報を受けて、その操作内容が反映されるように各部をそれぞれ制御している。
【００３６】
この場合、制御部３８は、メモリ部４０を利用している。このメモリ部４０は、主として、ＣＰＵが実行する制御プログラムを格納したＲＯＭと、該ＣＰＵに作業エリアを提供するＲＡＭと、各種の設定情報及び制御情報等が格納される不揮発性メモリとを有している。
【００３７】
また、上記メモリ部４０の不揮発性メモリには、複数の仕向け先または受信動作等に対応して用意された、それぞれ異なる複数種類のディスプレイ仕様を示すＥＤＩＤデータが予め格納されている。
【００３８】
そして、テレビジョン受信装置１３が特定の場所に設置されたとき、不揮発性メモリに格納された各種のＥＤＩＤデータの中から、その設置場所に応じたディスプレイ仕様を示すＥＤＩＤデータが選択されて、ＨＤＭＩ送受信部３４の内蔵メモリ３４ａに記憶されるようになっている。
【００３９】
図４は、テレビジョン受信装置１３が特定の場所に設置されたとき、不揮発性メモリに格納された各種のＥＤＩＤデータの中から、その設置場所に応じたディスプレイ仕様を示すＥＤＩＤデータを、ＨＤＭＩ送受信部３４の内蔵メモリ３４ａに記憶させる動作の一例をまとめたフローチャートを示している。
【００４０】
すなわち、処理が開始（ステップＳ１）され、ステップ２で、ＥＤＩＤデータの設定処理が要求されると、制御部３８は、ステップＳ３で、設定メニューをディスプレイ３６にＯＳＤ表示させる。
【００４１】
この設定メニューは、例えば図５に示すように、テレビジョン受信装置１３の設置場所に応じて、ＮＴＳＣ（national television system committee）信号の受信かＰＡＬ（phase alternation by line color television）信号の受信かを選択させるもので、カーソルＫを操作部３９のカーソル移動キーで移動させ、決定キーで決定することにより、設置場所に適した受信動作を選択決定することができる。
【００４２】
その後、制御部３８は、ステップＳ４で、設定メニューからいずれかの受信動作が選択決定されたことを検知すると、ステップＳ５で、ＮＴＳＣ及びＰＡＬのいずれが決定されたかを判別する。
【００４３】
そして、ＮＴＳＣ信号の受信動作が決定されたと判断されると、制御部３８は、ステップＳ６で、メモリ部４０の不揮発性メモリに格納された複数種類のディスプレイ仕様に対応するＥＤＩＤデータの中から、ＮＴＳＣ信号を受信するディスプレイ仕様に対応するＥＤＩＤデータを取り出し、ＨＤＭＩ送受信部３４の内蔵メモリ３４ａに記憶させて、処理を終了（ステップＳ８）する。
【００４４】
また、上記ステップＳ５でＰＡＬ信号の受信動作が決定されたと判断されると、制御部３８は、ステップＳ７で、メモリ部４０の不揮発性メモリに格納された複数種類のディスプレイ仕様に対応するＥＤＩＤデータの中から、ＰＡＬ信号を受信するディスプレイ仕様に対応するＥＤＩＤデータを取り出し、ＨＤＭＩ送受信部３４の内蔵メモリ３４ａに記憶させて、処理を終了（ステップＳ８）する。
【００４５】
上記した実施の形態によれば、メモリ部４０の不揮発性メモリに、複数の仕向け先または受信動作等に対応した、それぞれ異なるディスプレイ仕様を示す各種のＥＤＩＤデータを予め格納しておき、テレビジョン受信装置１３が設置されたとき、その場所に対応するディスプレイ仕様を示すＥＤＩＤデータを不揮発性メモリから取り出してＨＤＭＩ送受信部３４の内蔵メモリ３４ａに記憶させるようにしている。
【００４６】
そして、映像や音声等の信号の送信側となる電子機器（この場合、光ディスク再生装置１１）から、ＥＤＩＤデータの取得要求があった場合には、ＨＤＭＩ送受信部３４は、その内蔵メモリ３４ａに記憶されたＥＤＩＤデータを要求先の機器に送信することで、必要なディスプレイ仕様を与えることができる。このため、複数種類の受信仕様毎にそれぞれ個別にＥＤＩＤデータを格納する必要がなくなり、製造作業や出荷作業等を容易化することが可能となる。
【００４７】
なお、ＥＤＩＤデータが示す受信仕様としては、例えば電子機器がＰＣ（personal computer）の場合には、ＶＧＡ（video graphics array）、ＸＧＡ（extended graphics array）、ＵＸＧＡ等、種々の仕様が考えられる。
【００４８】
図６は、この実施の形態の変形例を示している。すなわち、テレビジョン受信装置１３を、光ディスク再生装置１１と他のテレビジョン受信装置４１との間のリピータとして使用している。
【００４９】
この場合、テレビジョン受信装置１３は、光ディスク再生装置１１からＨＤＭＩ規格に準拠した形態で出力された映像や音声等の信号を、そのまま伝送路４２を介して後段のテレビジョン受信装置４２に伝送する機能と、光ディスク再生装置１１からのＥＤＩＤデータの取得要求を伝送路４３を介してテレビジョン受信装置４２に伝送するとともに、テレビジョン受信装置４２からのＥＤＩＤデータを伝送路４３を介して受け取り、光ディスク再生装置１１に伝送する機能とを備える。
【００５０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５１】
【図１】この発明の実施の形態を示すもので、デジタル信号伝送システムの概略を説明するために示すブロック構成図。
【図２】同実施の形態におけるデジタル信号伝送システムに用いられる光ディスク再生装置の信号処理系を説明するために示すブロック構成図。
【図３】同実施の形態におけるデジタル信号伝送システムに用いられるテレビジョン受信装置の信号処理系を説明するために示すブロック構成図。
【図４】同実施の形態におけるデジタル信号伝送システムに用いられるテレビジョン受信装置の主要な処理動作を説明するために示すフローチャート。
【図５】同実施の形態におけるデジタル信号伝送システムに用いられるテレビジョン受信装置によって表示される設定メニューの一例を説明するために示す図。
【図６】同実施の形態の変形例を示すもので、テレビジョン受信装置をリピータとて使用した一例を説明するために示すブロック構成図。
【符号の説明】
【００５２】
１１…光ディスク再生装置、１２…伝送路、１３…テレビジョン受信装置、１４…伝送路、１５…光ディスク、１６…ディスクドライブ部、１７…デコーダ部、１８…信号処理部、１９…ＨＤＭＩ送受信部、２０…出力端子、２１…入出力端子、２２…制御部、２３…操作部、２４…メモリ部、２５…アンテナ、２６…入力端子、２７…チューナ部、２８…復調部、２９…信号処理部、３０…混合部、３１…ＯＳＤ信号生成部、３２…セレクタ、３３…入力端子、３４…ＨＤＭＩ送受信部、３５…信号処理部、３６…ディスプレイ、３７…入出力端子、３８…制御部、３９…操作部、４０…メモリ部、４１…テレビジョン受信装置、４２，４３…伝送路。
【図１】
2006179973.tif 000003
【図２】
2006179973.tif 000004
【図３】
2006179973.tif 000005
【図４】
2006179973.tif 000006
【図５】
2006179973.tif 000007
【図６】
2006179973.tif 000008